(57)【要約】【課題】露出補整やホワイトバランス等の各項目の設定やまた補正値が画像をどのように変化させるかを一目で分かるようにした撮像装置および撮像装置の表示方法を提供する。【解決手段】補整対象となる露出補整やホワイトバランス等の項目をカーソル７１で選択すると、選択された項目について設定された補整量で補整を施した画像を表示すると共に、全ての項目について補整を施した画像６８を表示する。また、併せて、補整を施さない画像６１も表示する。さらに、選択された項目について、各々異なる補整量で補整を施した画像を整列表示する。  【選択図】  図１１
2008311812.tif 000002
【特許請求の範囲】
【請求項１】
撮像素子から取得した画像に補整を施す複数の補整手段と、
一つ又は複数の画像を表示する表示手段と、
を有する撮像装置において、
上記表示手段は、何れか一つの上記補整手段によって所定の補整量で補整を施した画像と、全ての補整手段によって各々所定の補整量で補整を施した画像を、同時に表示することを特徴とする撮像装置。
【請求項２】
上記表示手段に２つの上記画像を同時に表示する際に、上記補整手段による補整を施していない画像を併せて表示することを特徴とする請求項１に記載の撮像装置。
【請求項３】
撮像素子から取得した画像に補整を施す補整手段と、
この補整手段が画像に補整を施す補整量を設定する設定手段と、
一つ又は複数の画像を表示する表示手段と、
この表示手段が表示する複数の画像の中から一つの画像を選択する選択手段と、
を有する撮像装置において、
上記補整手段が複数の補整量で各々補整を施した複数の画像を、上記表示手段に同時に表示させ、この時に上記選択手段によって一つの画像を選択することにより、その画像に応じた補整量を上記設定手段に設定することを特徴とする撮像装置。
【請求項４】
撮像素子から取得した画像に補整を施す複数の補整手段と、
一つ又は複数の画像を表示する表示手段と、
この表示手段が表示する複数の画像の中から一つの画像を選ぶ選択手段と、
を有する撮像装置において、
上記表示手段は、何れか一つの上記補整手段によって所定の補整量で補整を施した画像と、全ての補整手段によって各々所定の補整量で補整を施した画像を、同時に表示し、
上記複数の補整手段の何れか一つが複数の補整量で各々補整を施した複数の画像を上記表示手段に同時に表示させ、この時に上記選択手段によって一つの画像を選択することにより、その画像に応じた補整量を上記設定手段に設定すること、
を特徴とする撮像装置。
【請求項５】
上記表示手段は、いずれか一つの上記補整手段によって所定の補整量で補整を施した画像と、全ての補整手段によって各々所定の補整量で補整を施した画像を、同時に表示する際に、上記補整手段による補整を施していない画像を併せて表示することを特徴とする請求項４に記載の撮像装置。
【請求項６】
上記表示手段が上記一つの補整手段が複数の補整量で各々補整を施した複数の画像を表示する際、上記補整量に応じて整列表示することを特徴とする請求項３乃至請求項５に記載の撮像装置。
【請求項７】
上記補整手段は、露出補正、ホワイトバランス、ホワイトバランス補正、シャープネス、コントラスト、彩度、諧調、色調、調色、フィルタ効果、ＩＳＯ感度、測光方式のいずれか又は全部であることを特徴とする請求項１乃至請求項６に記載の撮像装置。
【請求項８】
撮像素子によって取得した画像を表示手段にライブビュー表示し、
メニューモードが設定された否かを判定し、
上記判定の結果、上記メニューモードが設定された場合には、上記メニューモードによって補整可能な項目の全てまたは一部について、各項目ごとの設定に応じた補整画像を生成し、
上記生成された補整画像を、上記ライブビュー表示から切り換えて、上記表示手段に表示する
ことを特徴とする撮像装置の表示方法。
【請求項９】
上記表示手段に上記各項目ごとに上記補整画像を表示すると共に、上記各項目の全ての設定を適用した撮影画像を生成し、上記表示手段に表示することを特徴とする請求項８に記載の撮像装置の表示方法。
【請求項１０】
上記表示手段に上記各項目ごとに上記補整画像を表示すると共に、上記各項目の全ての設定を適用しない補正なし画像を生成し、上記表示手段に表示することを特徴とする請求項８又は請求項９に記載の撮像装置の表示方法。
【請求項１１】
複数の上記補整画像のうちから一つの補整画像が選択されたか否か判定し、
判定の結果、一つの補整画像が選択された場合には、この補整画像に対して補整量を変更した複数の画像を生成し、
上記生成された複数の画像を並べて表示する
ことを特徴とする請求項８乃至請求項１０に記載の撮像装置の表示方法。
【請求項１２】
上記生成された複数の画像を並べて表示する際、上記補整量に応じて整列表示することを特徴とする請求項１１に記載の撮像装置の表示方法。
【請求項１３】
被写体の画像を取得するための撮像素子と、
上記被写体の画像に対して、補整内容を指示する入力モードを設定する入力モード設定手段と、
上記入力モードが設定された場合に、補整可能な項目の全てまたは一部について、各項目ごとに設定に応じた補整画像を生成する画像処理手段と、
この画像処理手段によって生成された補整画像を表示する表示手段と、
を具備することを特徴とする撮像装置。
【請求項１４】
上記各項目ごとの補整画像のいずれかを選択する選択手段を有し、上記表示手段は、上記選択手段によって画像を選択すると、選択された画像に対応した項目の設定画面に切り換わることを特徴とする請求項１３に記載の撮像装置。
【請求項１５】
被写体の画像を取得するための撮像素子と、
上記被写体の画像に対して、補整量を変更した複数の補整画像を生成する補整画像生成手段と、
この補整画像生成手段によって生成された複数の補整画像を並べて表示する表示手段と、
を具備することを特徴とする撮像装置。
【請求項１６】
上記表示手段が複数の補整画像を並べて表示する際、上記補整量に応じて整列表示することを特徴とする請求項１５に記載の撮像装置。
【請求項１７】
上記複数の補整画像のいずれかを選択する選択手段と、
この選択手段によっていずれかの補整画像を選択すると、その補整画像に応じた補整量を、補整内容として設定する設定手段と、
を具備することを特徴とする請求項１５に記載の撮像装置。
【発明の詳細な説明】
【技術分野】
【０００１】
本発明は、撮像装置に関し、詳しくは撮像素子から取得した画像に補整を施す撮像装置および撮像装置の表示方法に関する。
【背景技術】
【０００２】
一般に、デジタルカメラ等の撮像装置においては、種々の撮影動作のための設定や補正することが可能となっている。これらの設定や補正は多様であり、これらを適切に設定することにより撮影者の意図に沿った画像を取得することができる。しかし、設定や補正は多種多様であり、これらの情報をユーザーに見やすく提供する工夫がなされている。
【０００３】
例えば、特許文献１には、ライブビュー表示（スルー画表示とも言う）を行なうための表示部に、図１７に示すように、撮影モード・設定内容・補正値等の撮影情報を表示するデジタルカメラが開示されている。ライブビュー表示は、撮像素子で取得した画像データに基づき動画像表示するものであり、被写体像観察用に使用されることから、従来のコントロールパネルよりは大型の表示画面の表示装置が用いられている。
【特許文献１】特開２００４−４０２５４号公報
【発明の開示】
【発明が解決しようとする課題】
【０００４】
特許文献１に開示のデジタルカメラにおいては、表示画面が大型であることから、撮影情報が見やすいが、各項目の設定は文字で表示されており、また各項目の補正値は数字で表示されているだけであるので、撮影情報を見るだけでは、どのような撮影画像となるか直感的にわかり難いものである。例えば、露出補正を行う場合に、＋０．５、＋１、＋１．５と補正量を変化させた場合に、画像がどのように補正されるか、また、ホワイトバランスをオートに設定するか、晴天に設定するか、それとも曇天に設定するかで、どのような撮影画面になるかは、実際に撮影してみないと分からないという不具合があった。
【０００５】
本発明は、このような事情を鑑みてなされたものであり、各項目の設定やまた補正値が画像をどのように変化させるかを一目で分かるようにした撮像装置および撮像装置の表示方法を提供することを目的とする。
【課題を解決するための手段】
【０００６】
上記目的を達成するため第１の発明に係わる撮像装置は、撮像素子から取得した画像に補整を施す複数の補整手段と、一つ又は複数の画像を表示する表示手段と、を有する撮像装置において、上記表示手段は、何れか一つの上記補整手段によって所定の補整量で補整を施した画像と、全ての補整手段によって各々所定の補整量で補整を施した画像を、同時に表示する。
【０００７】
第２の発明に係わる撮像装置は、上記第１の発明において、上記表示手段に２つの上記画像を同時に表示する際に、上記補整手段による補整を施していない画像を併せて表示する。
【０００８】
上記目的を達成するため第３の発明に係わる撮像装置は、撮像素子から取得した画像に補整を施す補整手段と、この補整手段が画像に補整を施す補整量を設定する設定手段と、一つ又は複数の画像を表示する表示手段と、この表示手段が表示する複数の画像の中から一つの画像を選択する選択手段と、を有する撮像装置において、上記補整手段が複数の補整量で各々補整を施した複数の画像を、上記表示手段に同時に表示させ、この時に上記選択手段によって一つの画像を選択することにより、その画像に応じた補整量を上記設定手段に設定している。
【０００９】
上記目的を達成するため第４の発明に係わる撮像装置は、撮像素子から取得した画像に補整を施す複数の補整手段と、一つ又は複数の画像を表示する表示手段と、この表示手段が表示する複数の画像の中から一つの画像を選ぶ選択手段と、を有する撮像装置において、上記表示手段は、何れか一つの上記補整手段によって所定の補整量で補整を施した画像と、全ての補整手段によって各々所定の補整量で補整を施した画像を、同時に表示し、上記複数の補整手段の何れか一つが複数の補整量で各々補整を施した複数の画像を上記表示手段に同時に表示させ、この時に上記選択手段によって一つの画像を選択することにより、その画像に応じた補整量を上記設定手段に設定する。
第５の発明に係わる撮像装置は、上記第４の発明において、上記表示手段は、いずれか一つの上記補整手段によって所定の補整量で補整を施した画像と、全ての補整手段によって各々所定の補整量で補整を施した画像を、同時に表示する際に、上記補整手段による補整を施していない画像を併せて表示する。
また、第６の発明に係わる撮像装置は、上記第３乃至第５の発明において、上記表示手段が上記一つの補整手段が複数の補整量で各々補整を施した複数の画像を表示する際、上記補整量に応じて整列表示する。
さらに、第７の発明に係わる撮像装置は、上記第１乃至第６の発明において、上記補整手段は、露出補正、ホワイトバランス、ホワイトバランス補正、シャープネス、コントラスト、彩度、諧調、色調、調色、フィルタ効果、ＩＳＯ感度、測光方式のいずれか又は全部である。
【００１０】
上記目的を達成するため第８の発明に係わる撮像装置の表示方法は、撮像素子によって取得した画像を表示手段にライブビュー表示し、メニューモードが設定された否かを判定し、上記判定の結果、上記メニューモードが設定された場合には、上記メニューモードによって補整可能な項目の全てまたは一部について、各項目ごとの設定に応じた補整画像を生成し、上記生成された補整画像を、上記ライブビュー表示から切り換えて、上記表示手段に表示する。
第９の発明に係わる撮像装置の表示方法は、上記第８の発明において、上記表示手段に上記各項目ごとに上記補整画像を表示すると共に、上記各項目の全ての設定を適用した撮影画像を生成し、上記表示手段に表示する。
また、第１０の発明に係わる撮像装置の表示方法は、上記第８または第９の発明において、上記表示手段に上記各項目ごとに上記補整画像を表示すると共に、上記各項目の全ての設定を適用しない補正なし画像を生成し、上記表示手段に表示する。
さらに、第１１の発明に係わる撮像装置の表示方法は、上記第８乃至第１０の発明において、複数の上記補整画像のうちから一つの補整画像が選択されたか否か判定し、判定の結果、一つの補整画像が選択された場合には、この補整画像に対して補整量を変更した複数の画像を生成し、上記生成された複数の画像を並べて表示する。
さらに、第１２の発明に係わる撮像装置の表示方法は、上記第１１の発明において、上記生成された複数の画像を並べて表示する際、上記補整量に応じて整列表示する。
【００１１】
上記目的を達成するため第１３の発明に係わる撮像装置は、被写体の画像を取得するための撮像素子と、上記被写体の画像に対して、補整内容を指示する入力モードを設定する入力モード設定手段と、上記入力モードが設定された場合に、補整可能な項目の全てまたは一部について、各項目ごとに設定に応じた補整画像を生成する画像処理手段と、この画像処理手段によって生成された補整画像を表示する表示手段を具備する。
第１４の発明に係わる撮像装置は、上記第１３の発明において、上記各項目ごとの補整画像のいずれかを選択する選択手段を有し、上記表示手段は、上記選択手段によって画像を選択すると、選択された画像に対応した項目の設定画面に切り換わる。
【００１２】
上記目的を達成するため第１５の発明に係わる撮像装置は、被写体の画像を取得するための撮像素子と、上記被写体の画像に対して、補整量を変更した複数の補整画像を生成する補整画像生成手段と、この補整画像生成手段によって生成された複数の補整画像を並べて表示する表示手段を具備する。
第１６の発明に係わる撮像装置は、上記第１５の発明において、上記表示手段が複数の補整画像を並べて表示する際、上記補整量に応じて整列表示する。
また、第１７の発明に係わる撮像装置は、上記第１５の発明において、上記複数の補整画像のいずれかを選択する選択手段と、この選択手段によっていずれかの補整画像を選択すると、その補整画像に応じた補整量を、補整内容として設定する設定手段を具備する。
【発明の効果】
【００１３】
本発明によれば、各項目の設定やまた補正値が画像をどのように変化させるかを一目で分かるようにした撮像装置を提供することができる。
【発明を実施するための最良の形態】
【００１４】
以下、図面に従って本発明を適用したデジタルカメラを用いて好ましい実施形態について説明する。このデジタルカメラは、露出補正、ホワイトバランスやコントラスト等を撮影者の意図に応じて変化させることができ、このための設定手段（後述するメニュー釦６等を用いて設定する）を有している。また、このデジタルカメラは、撮像素子の出力から被写体像の画像データ信号を取得し、液晶モニタ等の表示部に被写体像を表示することができる。表示にあたって、設定手段によって設定された設定や補正値に応じて画像に補整を施して表示する。撮影者の意図する画像となった場合に、レリーズ釦を操作すると、画像データを取り込み、設定・補正値に応じた補整を施した上で、記録媒体に記録することができる。なお、本願明細書において、「補整量」は設定手段によって設定される露出補正値のような補正値や、ホワイトバランスのような補整内容（設定内容）を含んでいる。
【００１５】
まず、図１は、本発明の第１実施形態に係わるデジタルカメラの背面図である。カメラ本体１の背面には液晶モニタ（ＴＦＴ）２が配置されている。このＴＦＴ２は、撮像素子によって取得された被写体像や、記録媒体に記録された画像データの再生画像や、撮影モードや各種設定値等の撮影情報を表示することができる。
【００１６】
カメラ本体１の上面には、電源釦３とレリーズ釦４が配置されている。電源釦３はカメラ本体１の電源供給の開始と停止を指示するための操作釦である。レリーズ釦３は、撮影動作の開始を指令する操作釦である。また、カメラ本体１の背面であって、ＴＦＴ２の脇には、キャンセル釦５およびメニュー釦６が配置されている。メニュー釦６は、メニューモードに設定するための操作釦であり、画像の露出補正、ホワイトバランス、シャープネス、コントラストおよび彩度等について、それぞれ設定・補正値設定等を行なうモードを指令する操作釦である。キャンセル釦５は、設定されたメニューモードの解除を行なう場合に指令するための操作釦である。
【００１７】
カメラ本体１の背面であって、キャンセル釦５およびメニュー釦６の下側には、ＯＫ釦７と十字釦８が配置されている。十字釦８は上下左右のそれぞれに、ＴＦＴ２上に表示されるカーソルの移動を指示する操作部材であり、この十字釦８を操作することにより、ＴＦＴ２上に表示される画像や各種項目を選択することができる。また、ＯＫ釦７は、十字釦８によって選択された画像や各種項目を確定するための操作部材である。
【００１８】
次に、本実施形態におけるデジタルカメラの電気的構成を、図２を用いて説明する。被写体像を結像させるための撮影光学系１１がカメラ本体１に取り付けられている。この撮影光学系１１は、モータ等を備えるレンズ駆動機構（不図示）によって駆動され、このレンズ駆動機構はレンズ／シャッタ／絞り制御回路１７によって焦点位置の調節ための駆動制御がなされる。
【００１９】
撮影光学系１１の後ろ側には、シャッタ１２と絞り１３が配置されている。シャッタ１２は露光時間を制御し、絞り１３は露光量を制御するための部材である。絞り１３の後ろ側かつ撮影光学系１１の光軸上であって、被写体像の結像位置付近に、ＣＣＤ（Charge Coupled Devices）１４が配置されている。このＣＣＤ１４は被写体像を光電変換し、画像信号を出力する。ＣＣＤ１４はＣＣＤ制御回路１６に接続されており、ＣＣＤ１４は、ＣＣＤ制御回路１６によって読出し制御がなされる。ＣＣＤ１４は、読み出された画像信号のＡＤ変換を行なうアナログデジタル（Ａ／Ｄ）変換器１５に接続されている。ＡＤ変換器１５もＣＣＤ制御回路１６に接続されており、このＣＣＤ制御回路１６から出力されるタイミングに従ってＡＤ変換を行なう。なお、撮像素子として本実施形態においては、ＣＣＤを採用したが、これに限らず、ＣＭＯＳ（Complementary Metal Oxide
Semiconductor）等の二次元撮像素子を用いてもよい。
【００２０】
Ａ／Ｄ変換器７は、ＡＳＩＣ（Application Specific Integrated Circuit：特定用途向け集積回路）３０内の前処理回路３２に接続されており、この前処理回路３２はデータバス３１に接続されている。このデータバス３１には、ＡＥ／ＡＦ／ＡＷＢ回路３３、画像処理回路３４、ＳＲＡＭ（Static Random Access Memory）３５、ビデオコンバータ３６、メカコントローラ３７、ストロボコントローラ３８、ＣＰＵ（Central Processing Unit）３９、ＳＤＲＡＭ（Synchronous Dynamic Random Access Memory）２３、フラッシュメモリ２４が接続されている。
【００２１】
前処理回路３２は、Ａ／Ｄ変換器１５によってデジタル化された画像データの前処理を行なう回路である。ＡＥ／ＡＦ／ＡＷＢ（Auto Exposure/Auto Focus/Auto White Balance）回路３３は、ＣＣＤ１４からの画像データに基づいて被写体輝度を検出し、適正露光となる露出制御値を求め、また画像データの高周波成分に基づいて撮影光学系１１の合焦状態を検出し、さらに前処理された画像データに基づいてホワイトバランスを調整するための回路である。
【００２２】
画像処理回路３４は、色補正、ガンマ(γ)補正、コントラスト補正、白黒・カラーモード処理、スルー画像処理といった各種の画像処理を行う。ＳＲＡＭ３５は、揮発性のメモリであり、一時記憶メモリとして使用される。ビデオコンバータ３６はＴＦＴ２に接続され、ライブビュー画像、再生画像および撮影情報の表示画像を、ＴＦＴ２に表示するための変換器である。
【００２３】
メカコントローラ３７は、レンズ／シャッタ／絞り制御回路１７に接続され、撮影光学系１１、シャッタ１２および絞り１３を制御するレンズ／シャッタ／絞り制御回路１７から状態信号を入力すると共に制御信号を出力する。ストロボコントローラ３８はストロボ１９を制御するストロボ制御回路１８に接続されており、ストロボ状態信号を入力すると共に、制御信号を出力する。
【００２４】
ＳＤＲＡＭ２３は、画像処理回路３４によって画像処理された画像情報または圧縮された画像情報を一時的に記憶するためのメモリである。フラッシュメモリ２４は、不揮発性の書き換え可能なメモリであり、このデジタルカメラを制御するためのプログラムが記憶されている。ＣＰＵ３９は、フラッシュメモリ２４に記憶されているプログラムに従って、このデジタルカメラの全体制御を行う。
【００２５】
ＣＰＵ３９はＣＩＳＣ２０に接続しており、このＣＩＳＣ２０はスイッチ群２１とＬＥＤ群２２に接続している。スイッチ群２１は、前述の電源釦３、レリーズ釦４、キャンセル釦５、メニュー釦６、ＯＫ釦７、十字釦８等の各種釦に連動するスイッチであり、ＬＥＤ群２２は、撮影光学系１１の合焦完了表示やストロボ１９の充電完了表示等の各種表示用ＬＥＤである。ＣＩＳＣ２０はＣＰＵを内蔵しており、スイッチ群２１やＬＥＤ群２２の状態検出や表示制御等のコントローラである。
【００２６】
ＴＦＴ２は、前述したように、カメラ本体１の背面に配置されたＬＣＤ（Liquid Crystal Display：液晶ディスプレイ）等によって構成され、ライブビュー画像や再生画像および撮影情報を表示する。ビデオ出力４１は、ビデオコンバータ３６によって変換されたビデオ信号を外部に出力するための端子である。ＵＳＢ  Ｉ／Ｆ（Universal Serial Bus Interface）４２は、バス３１を通じてデジタルデータの入出力を行なうためのインターフェースである。
【００２７】
カードＩ／Ｆ４３は、メモリカード４４にデジタルデータを書き込み又は読出しを行なうためのインターフェースである。メモリカード４４としては、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体１に対して着脱自在となっている。電源回路５３は、商用電源のＡ／Ｃ５１、または電源電池５２から電源が供給され、カメラ本体１内の各種回路に電源を供給する。
【００２８】
次に、本実施形態における動作について、図３乃至図６に示すフローチャートを用いて説明する。このフローは電源回路５３から電源が供給されるとスタートし、まず、パワーオフ状態とする（Ｓ１）。次に、電源釦３が押し下げ操作されたかを判定し、押し下げ操作されたことを判定すると（Ｓ３）、パワーオン処理を行なう（Ｓ５）。
【００２９】
続いて、項目の初期設定を行なう（Ｓ７）。メニューモード等において、図７の縦軸に示されるような項目、すなわち、露出補正、ホワイトバランス、ホワイトバランス（ＷＢ）補正、シャープネス、コントラスト、彩度について設定が可能となっている。各項目の値１から値１１は、それぞれ図７に示す補正値・設定値等を意味している。ステップ７においては、これらの各項目において、中立値である“０”（ホワイトバランスに対しては、オートホワイトバランス）を初期として設定する。なお、項目としては、図７に示す６項目以外にも、図８に示すように、諧調、色調、調色、フィルタ効果、ＩＳＯ感度、測光方式等についても設定可能としてもよい。
【００３０】
次に、ＣＣＤ１４から画像データを取得する（Ｓ９）。続いて、全項目を適用した画像を生成する（Ｓ１１）。すなわち、ステップＳ９で取り込んだ画像に対して、露出補正、ホワイトバランス等の各項目について設定値を反映した画像（＝撮影画像）を生成する。ここで生成された撮影画像を、ＴＦＴ２にライブビュー表示する（Ｓ１３）。このライブビュー表示は、フローチャート上明示されていないが、所定のフレームレートで画像が更新される。
【００３１】
次に、撮影待機用ＯＳＤ（On Screen Display）データの取得を行なう（Ｓ１５）。撮影待機用ＯＳＤは、ＴＦＴ２上に表示される撮影情報であり、例えば、電源電池の残量、撮影モード、シャッタ速度、絞り値、露出補正値、ホワイトバランス、ホワイトバランス補正値、シャープネス、コントラスト、彩度、記録媒体の種類、記録画素数、撮影駒残数、ストロボモード等である。このステップＳ１５において、これらのＯＳＤデータを取得すると、次に、表示用の待機用ＯＳＤ画像を生成し（Ｓ１７）、この待機用ＯＳＤ画像を、図９に示すように表示する（Ｓ１９）。図９において、ライブビューで表示する被写体像は省略されているが、実際には、ライブビュー表示にＯＳＤ画像が重畳されて、ＴＦＴ２に表示される。
【００３２】
続いて、撮影待機状態となる（Ｓ２１）。この状態では、ＯＳＤ画像を重畳したライブビュー表示がＴＦＴ２上に表示されたままで、スイッチ釦等が操作されるまで、待機状態となっている。次に、ＣＩＳＣ２０を介してスイッチ群２１の状態を入力する（Ｓ２３）。そして、入力したスイッチ群２１の状態について判別する（Ｓ２５）。
【００３３】
ステップＳ２５における判別の結果、レリーズ釦４が押し下げ操作されていたときには、撮影処理を行なう（Ｓ２７）。撮影処理としては、通常行なわれているように、測光や自動焦点調節を行なった後、更にレリーズ釦４が押し下げられると、適正露光が得られるようにシャッタ１２および絞り１３を制御し、ＣＣＤ１４から画像データを取得し、画像処理回路３４等によって、ホワイトバランス、シャープネス、コントラスト等の各種画像処理を行ない、また画像圧縮処理等を行なった後、メモリカード４４に画像の記録を行う。これらの一連の撮影処理が終わると、ステップＳ９に戻る。また、ステップＳ２５のスイッチ判別の結果、電源釦３が操作された場合には、パワーオフ処理を行なう（Ｓ２９）。パワーオフ処理後、再び、電源釦３が操作されると、ステップＳ５から動作が開始される。
【００３４】
ステップＳ２５におけるスイッチ判別の結果、メニュー釦６が操作された場合には、ＴＦＴ２上の全画像を消去する（Ｓ３１）。これは、後述するようにメニュー釦６が操作されると、露出補正、ホワイトバランス等について各々その効果が分かるように画像表示すると共に設定画面となることから、ステップＳ１９において表示したライブビュー表示にＯＳＤ画像を重畳した画像を、一旦、消去している。
【００３５】
続いて、ステップＳ９と同様にしてＣＣＤ１４から画像データの取得を行なう（Ｓ３３）。次に、この取得した画像データを用い、補整しないままの画像を生成し（Ｓ３５）、その補正なし画像６１（図１０）をＴＦＴ２に表示する（Ｓ３７）。この後、露出補正の値の値を取得し(Ｓ３９)、この露出補正の値を適用した画像を生成し(Ｓ４１)、この露出補正画像６２をＴＦＴ２上に表示する（Ｓ４３）。なお、露出補正の値は、図７に示すように、値１の場合には、−２．０であり、値２の場合には、−１．５であり、以下図７に示したような関係となっている。なお、後述するホワイトバランス等の項目と値との関係は同様である。
【００３６】
この後、ホワイトバランスの値を取得し(Ｓ４５)、このホワイトバランスを適用した画像６３を生成し(Ｓ４７)、このホワイトバランス画像６３をＴＦＴ２上に表示する（Ｓ４９）。続いて、ＷＢ補正の値を取得し(Ｓ５１)、このＷＢ補正の値を適用した画像を生成し(Ｓ５３)、このＷＢ補正画像６４をＴＦＴ２上に表示する（Ｓ５５）。さらに、シャープネスの値を取得し(Ｓ５７)、このシャープネスを適用した画像を生成し(Ｓ５９)、このシャープネス画像６５をＴＦＴ２上に表示する（Ｓ６１）。次に、コントラストの値を取得し(Ｓ６３)、このコントラストを適用した画像を生成し(Ｓ６５)、このコントラスト画像６６をＴＦＴ２上に表示する（Ｓ６７）。
【００３７】
この後、彩度の値を取得し(Ｓ６９)、この彩度を適用した画像を生成し(Ｓ７１)、この彩度画像６７をＴＦＴ２上に表示する（Ｓ７３）。続いて、全項目を適用した画像を生成する（Ｓ７５）。すなわち、ステップＳ３９において取得した露出補正の値、ステップＳ４５において取得したホワイトバランスの値、ステップＳ５１において取得したＷＢ補正の値、ステップＳ５７において取得したシャープネスの値、ステップＳ６３において取得したコントラストの値、ステップＳ６９において取得した彩度の値の全ての項目の値を適用した画像を生成する（Ｓ７５）。生成された全項目を適用した撮影画像６８をＴＦＴ２上に表示する（Ｓ７７）。
【００３８】
次に、スーパーコントロールパネル（ＳＰＣ）用のＯＳＤデータを取得する（Ｓ８１）。ＯＳＤデータは前述したように、ＴＦＴ２上における画像以外の項目を表示するためのデータである。そして、この取得したＯＳＤデータを用いてＯＳＤ画像を生成し（Ｓ８３）、このＯＳＤ画像を、ステップＳ３３乃至Ｓ７７において表示した画像に重畳し、図１０に示す如く表示する（Ｓ８５）。
【００３９】
このように、本実施形態においては、メニューモードを選択すると、補整されていない画像（補正なし画像６１）、メニューモードで選択できる各項目ごとにそれぞれ補整を施した画像（露出補正画像６２、ホワイトバランス画像６３、ＷＢ補正画像６４、シャープネス画像６５、コントラスト６６、彩度画像６７）、および全項目について補整を施した撮影画像６８を、図１０に示すように、並べて表示している。このため、それぞれの補正・設定項目ごとに補整効果を確認することができ、さらに全項目で補整した場合の補整効果を確認することができ、撮影意図に沿った画像を得ることが容易となる。
【００４０】
ステップＳ８５においてＴＦＴ２にＯＳＤ画像を表示すると、続いて、ステップＳ２３と同様にスイッチ入力を行ない（Ｓ８７）、ステップＳ２５と同様にスイッチ判別を行なう（Ｓ８９）。判別の結果、キャンセル釦５が操作された場合には、ＳＣＰキャンセル処理を行ない（Ｓ９１）、処理が終わると、ステップＳ９に戻る。キャンセル処理が行なわれると、メニューモードにおける各種補正値・設定値は記憶されることなく、ＴＦＴ２に表示していた画像を消去する。
【００４１】
ステップＳ８９における判別の結果、電源釦３が操作された場合には、ステップＳ２９と同様にしてパワーオフ処理がなされ（Ｓ９３）、電源オフ状態となる。一方、判定の結果、十字釦８が操作された場合には、操作された釦に応じてＴＦＴ２上のカーソルの位置を移動させる（Ｓ９５）。これは、十字釦８の上下左右の４つの釦を操作すると、この操作に応じてカーソル枠７１が画面上で移動する。ユーザーは露出補正、ホワイトバランス等の項目の中から変更したい項目を、このカーソル移動によって選択することができる。カーソル移動が終わると、ステップＳ８１に戻る。
【００４２】
次に、スイッチ判別の結果、ＯＫ釦７が操作された場合には、カーソル移動によって選択された項目において、設定内容または補正値ごとに画像がどのように変化するかを一目で分かるような一覧表を作成するためのステップに入る。まず、ＴＦＴ２上の全画像を消去する（Ｓ９７）。続いて、選択された項目の全値を取得する（Ｓ９９）。ここで、例えば、図１１に示すように、コントラストが選択された状態で、ＯＫ釦７が操作されると、図７に示すように、コントラストが−５から＋５に対応して、値１から値１１を取得する。そして、項目の値ｎを１に設定する（Ｓ１０１）。
【００４３】
続いて、数値ｎに適用した画像を生成し（Ｓ１１１）、この生成された画像を表示し（Ｓ１１３）、数値ｎに１を加算する（Ｓ１１５）。この加算された値がステップＳ９９において取得した数値の全てについて完了したか否かを判定し（Ｓ１１７）、完了していない場合には、ステップＳ１１１に戻る。これらのステップＳ９９乃至Ｓ１１７を実行することにより、図１２に示すコントラスト設定画面のうち、値１１に対応するコントラストが＋５の画像７２から、値１に対応するコントラストが−５の画像８２が、ＴＦＴ２上に表示される。
【００４４】
次いで、メニュー用ＯＳＤデータの取得を行ない（Ｓ１１９）、このデータに基づいてＯＳＤ画像を生成し（Ｓ１２１）、ＯＳＤ画像を表示する（Ｓ１２３）。この一連のステップによって、ステップＳ１１３において表示された画像に加えて、画像以外の情報や表示用の記号等の画像を、図１２に示すように、ＴＦＴ２上にする。
【００４５】
このように、本実施形態においては、露出補正、ホワイトバランス、ＷＢ補正、シャープネス、コントラスト、彩度等、メニューモード等によって補正・設定できる項目について、補正値や設定内容を変更すると、画像がどのように変化するかを、図１２に例示したように、一目で理解でき、撮影者の意図に沿った画像を得ることが容易となる。
【００４６】
次に、ステップＳ２３と同様にスイッチ入力を行い（Ｓ１２５）、続いてステップＳ２５と同様にスイッチ判別を行なう（Ｓ１２７）。判別の結果、キャンセル釦５が操作された場合には、ＳＣＰキャンセル処理を行なう（Ｓ１２９）。このＳＣＰキャンセル処理は、図１２の如く、選択された項目について順次表示された画像のキャンセルを行い、図１０に示されるようなメニューモードで設定できる全項目を表示し、表示が完了すると、ステップＳ８１に戻る。
【００４７】
ステップＳ１２７における判別の結果、電源釦３が操作されたときには、ステップＳ２９と同様にパワーオフ処理を行ない（Ｓ１３１）、電源オフ状態となる。また、判別の結果、十字釦８の内の左右釦が操作されていた場合には、カーソル移動を行なう（Ｓ１３３）。このステップでは、図１３のカーソル７１が、十字釦８の操作に従って左右に移動する。なお、図１３において、各段の左端において左釦が操作されると、上の段の右端にカーソル７１は移動し、逆に各段の右端において右釦が操作されると、下の段の左端にカーソル７１は移動する。カーソル処理が終わると、ステップＳ１２１に戻る。
【００４８】
ステップＳ１２７におけるスイッチ判別の結果、ＯＫ釦７が操作された場合には、値決定処理がなされる（Ｓ１３５）。ＴＦＴ２上には、例えば図１２に示すような項目における設定値・補正値を変更するとどのような画像になるかが表示されているので、ユーザーはこれらの表示を観察しながら、カーソル７１を移動させ、意図する画像となる補正値・設定内容を決め、ＯＫ釦７を操作する。このＯＫ釦７が操作されると、選択された項目の補正値・設定内容が決定される。
【００４９】
続いて、当該項目値の更新を行ない（Ｓ１３７）、更新が終わると、ステップＳ３１に戻る。そして、ステップＳ３３からステップＳ７７を実行することにより、画像が更新され、図１４に示される如く、設定されたコントラストで補整されたコントラスト画像８３や、このコントラストを含む全ての項目が適用された撮影画像８５が表示される。
【００５０】
このように、本実施形態においては、カーソル７１を移動させながら、補正値・設定内容を選択し、ユーザーが気にいる画像が決まると、ＯＫ釦７を操作することにより、補正値・設定内容が決定され、カメラ本体内のＳＲＡＭ３５等に記憶される。従来では、単に数値等をメニュー画面に表示される数字等を選択して、ＯＫ釦で決定することにより更新されていたのに対して、本実施形態においては、ユーザーの意図する画像をカーソルで選択し、ＯＫ釦で決定することにより、自動的に補正値・設定内容が更新されるようになっているので、大変分かり易く便利である。
【００５１】
次に、本発明の第２実施形態について、図１５および図１６を用いて説明する。第１実施形態においては、図１２および図１３において示すように、各項目における各値に対して、それぞれ値に応じた画像を表示しているのみで、値に対応する文字を表示していなかった。このためホワイトバランスのように、オート、晴天、曇天、電球、蛍光灯の表示がなされないと、いずれのホワイトバランスを選択すべきかについて戸惑うおそれがある。第２実施形態においては、図７の値１〜値１１に対応する内容を文字・数字列等で表示するようにしている。
【００５２】
この第２実施形態の構成は、図６に示したフローを図１５に置き換える他は、第１実施形態とほぼ同様であるので、相違点を中心に説明する。図１５に示すフローチャートにおいて、図６と相違するのは、ステップＳ１１３とステップＳ１１５の間に、ステップＳ１１４ＡおよびＳ１１４Ｂを実行するようにした点であり、ほかは図６のフローチャートと同様であるので、同じステップには同じステップ番号を付して詳細な説明を省略する。
【００５３】
ステップＳ９７（図５）において、ＯＫ釦７が操作されると、選択された項目の全ての値を取得し、その値１から画像の生成を開始し、表示する（Ｓ１０１、Ｓ１１１、Ｓ１１３）。この後、その値ｎに対応した文字列を取得する（Ｓ１１４Ａ）。ここで、例えば、ホワイトバランスが選択されていたとすると、図７に示すように、値１は「オート」、値２は「晴天」、値３は「曇天」、値４は「電球」、値５は「蛍光灯」を意味するので、それぞれの値に対応した文字列を取得する。そして、この取得した文字列を、図１６に示すように表示する（Ｓ１１４Ｂ）。この後は、第１実施形態と同じであり、値ｎを順次加算しながら、全ての値が終了するまで、これらのステップを繰り返す。ここでは、ホワイトバランスの例を挙げて説明したが、露出補正等の場合には、それぞれの補正値に対応する数値を表示する。
【００５４】
このように第２実施形態においては、選択された項目について、補正値・設定内容によって補整された画像を示すと共に、この補正値や設定内容を一緒に文字や数値等によって表示するようにしたので、一目で分かり易く、大変便利である。
【００５５】
以上のように、本発明の各実施形態においては、撮像素子（ＣＣＤ１４）から取得した画像に補整を施す複数の補整手段（ステップＳ３５〜Ｓ７３のうちの複数の補整、これらの補整は主として画像処理回路３４によってなされる）と、一つ又は複数の画像を表示する表示手段（ＴＦＴ２）を有しており、表示手段は、何れか一つの補整手段が所定の補整量で補整を施した画像（例えば、コントラスト画像８３）と、全ての補整手段が各々所定の補整量で補整を施した画像（撮影画像８５）を同時に表示するようにしている。このため、それぞれの項目を補整することによる画像と、全ての項目を補整することによる画像とを対照して観察することができ、各項目の設定値が画像をどのように変化させるかを一目で分かり、便利である。
【００５６】
また、本発明の各実施形態においては、撮像素子（ＣＣＤ１４）から取得した画像に補整を施す補整手段（ステップＳ３５〜Ｓ７３で行われている補整の少なくとも一つ）と、この補整手段が画像に補整を施す補整量を設定する設定手段（ＯＫ釦９、ステップＳ１３５、Ｓ１３７）と、一つ又は複数の画像を表示する表示手段（ＴＦＴ２）と、この表示手段が表示する複数の画像の中から一つの画像を選択する選択手段（十字釦８、ステップＳ９５）を有し、補整手段が複数の補整量で各々補整を施した複数の画像（例えば図１２参照、ステップＳ１１１〜ステップＳ１１７）を、表示手段に同時に表示させ、この時に選択手段によって一つの画像を選択することにより、その画像に応じた補整量を設定手段に設定している。このため、複数の補整量で各々補整を施した複数の画像を見ながら、各項目の設定値が画像をどのように変化させるかを一目で分かり、補整量を決められるので、大変便利である。
【００５７】
また、本発明の各実施形態においては、表示手段（ＴＦＴ２）が、複数の補整量で各々補整を施した複数の画像を表示する際、補整量に応じて整列表示（図１２、図１６参照）している。このため、変化の様子が一目で分かり大変便利である。
【００５８】
なお、本実施形態においては、メニュー釦６によって、補正値や設定項目を設定するモードとしていたが、本発明は、このメニュー釦以外にも、例えば、撮影モード設定手段、オートフォーカス設定手段、ＡＥ設定手段等、種々の設定手段によって設定される補正値や設定項目に対しても適用できることは勿論である。
また、
【００５９】
また、本実施形態においては、図１０に示すように、露出補整画像６２から彩度画像６７のように各項目ごとの画像と共に、補正なし画像６１および撮影画像６８を表示したが、これに限らず、補正なし画像６１や撮影画像６８の両方またはいずれか一方を省略してもよい。
【００６０】
さらに、本実施形態においては、図１２、図１３や図１６に示されるように、補正値や設定項目の変化に応じた表示は、図１０に示されるような画像を選択することによって行なっていたが、これに限らず、画像と共に表示されている文字や記号等を選択すると、一覧で画像を表示するようにしてもよい。また、本実施形態においては、図１０に示されるような各項目に対応した画像を選択すると、図１２、図１３や図１６に示されるような一覧の画像が表示されたが、これに限らず、画像を選択すると、画像と共に表示されている数値や絵記号等で補正値や設定内容を入力するようにしてもよい。
【００６１】
本発明の実施形態の説明にあたっては、デジタルカメラに適用された例を挙げたが、デジタルカメラとしては一眼レフタイプやコンパクトタイプのデジタルカメラ等のいずれでも良く、またこれらのデジタルカメラ以外にも、ビデオカメラ、携帯電話、ＰＤＡ等の携帯電子機器でもよく、また専用機に組み込まれるような撮像装置でもよく、撮影画像を表示する表示手段を有する撮像装置であれば本発明を適用できる。
【図面の簡単な説明】
【００６２】
【図１】本発明の第１実施形態におけるカメラの背面図である。
【図２】本発明の第１実施形態におけるカメラの電気系を示すブロック図である。
【図３】本発明の第１実施形態におけるカメラの動作を示すフローチャートである。
【図４】本発明の第１実施形態におけるカメラの動作を示すフローチャートである。
【図５】本発明の第１実施形態におけるカメラの動作を示すフローチャートである。
【図６】本発明の第１実施形態におけるカメラの動作を示すフローチャートである。
【図７】本発明の第１実施形態における項目と値の関係を示す図である。
【図８】本発明の第１実施形態における他の項目と値の関係を示す図である。
【図９】本発明の第１実施形態におけるカメラの撮影待機画面を示す図である。
【図１０】本発明の第１実施形態におけるカメラの表示画面の初期状態を示す図である。
【図１１】本発明の第１実施形態におけるカメラにおいて、コントラストを選択した状態における表示画面を示す図である。
【図１２】本発明の第１実施形態におけるカメラにおいて、値変更前のコントラスト設定画面を示す図である。
【図１３】本発明の第１実施形態におけるカメラにおいて、値変更後のコントラスト設定画面を示す図である。
【図１４】本発明の第１実施形態におけるカメラにおいて、コントラストの値変更後の表示画面を示す図である。
【図１５】本発明の第２実施形態におけるカメラの動作を示すフローチャートである。
【図１６】本発明の第２実施形態におけるカメラにおいて、値変更前のホワイトバランス設定画面を示す図である。
【図１７】従来におけるカメラの撮影情報画面を示す図である。
【符号の説明】
【００６３】
１・・・カメラ本体、２・・・液晶モニタ（ＴＦＴ）、３・・・電源釦、４・・・レリーズ釦、５・・・キャンセル釦、６・・・メニュー釦、７・・・ＯＫ釦、８・・・十字釦、１１・・・撮影光学系、１２・・・シャッタ、１３・・・絞り、１４・・・ＣＣＤ、１５・・・Ａ／Ｄ変換器、１６・・・ＣＣＤ制御回路、１７・・・レンズ／シャッタ／絞り制御回路、１８・・・ストロボ制御回路、１９・・・ストロボ、２０・・・ＣＩＳＣ、２１・・・スイッチ群、２２・・・ＬＥＤ群、２３・・・ＳＤＲＡＭ、２４・・・フラッシュメモリ、３０・・・ＡＳＩＣ、３１・・・バス、３２・・・前処理回路、３３・・・ＡＥ／ＡＦ／ＡＷＢ、３４・・・画像処理回路、３５・・・ＳＲＡＭ、３６・・・ビデオコンバータ、３７・・・メカコントローラ、３８・・・ストロボコントローラ、３９・・・ＣＰＵ、４１・・・ビデオ出力、４２・・・ＵＳＢ  Ｉ／Ｆ、４３・・・カードＩ／Ｆ、４４・・・メモリカード、５１・・・Ａ／Ｃ、５２・・・電池、５３・・・電源回路、６１・・・補正なし画像、６２・・・露出補正画像、６３・・・ホワイトバランス画像、６４・・・ＷＢ補正画像、６５・・・シャープネス画像、６６・・・コントラスト、６７・・・彩度画像、６８・・・撮影画像、７１・・・カーソル枠、７２・・・画像、８２・・・画像、８３・・・コントラスト画像、８５・・・撮影画像
【図１７】
2008311812.tif 000003
【図１】
2008311812.tif 000004
【図２】
2008311812.tif 000005
【図３】
2008311812.tif 000006
【図４】
2008311812.tif 000007
【図５】
2008311812.tif 000008
【図６】
2008311812.tif 000009
【図７】
2008311812.tif 000010
【図８】
2008311812.tif 000011
【図９】
2008311812.tif 000012
【図１０】
2008311812.tif 000013
【図１１】
2008311812.tif 000014
【図１２】
2008311812.tif 000015
【図１３】
2008311812.tif 000016
【図１４】
2008311812.tif 000017
【図１５】
2008311812.tif 000018
【図１６】
2008311812.tif 000019